【手続補正書】
【提出日】平成19年1月5日(2007.1.5)
【手続補正１】
【補正対象書類名】明細書
【補正対象項目名】全文
【補正方法】変更
【補正の内容】
【発明の詳細な説明】
【発明の名称】調節可能な傾斜台
【技術分野】
【０００１】
（発明の背景）
本発明は、コンピュータモニタおよびテレビのようなインターフェースデバイスのための台に関する。具体的には、本発明は、このインターフェースがほぼ水平な旋回軸の周りで傾斜されることを可能にする台に関する。
【背景技術】
【０００２】
平面パネルコンピュータモニタおよび平面スクリーンテレビの開発は、大きいコンピュータモニタおよび大きいテレビセットを、同じスクリーン面積を有するが小さい割合の深さおよび重量を有するディスプレイと交換する機会を与える。このことは、コンピュータモニタが、机の上の空間の大きい部分を使うことなく、机の上に置かれることを可能にする。同様に、平面スクリーンテレビが、以前には実用的な位置ではなかった位置に置かれ得る。
【０００３】
平面パネルのモニタおよびテレビの軽量かつ薄い輪郭は、これらが比較的小さい基部上に支持されること、壁に吊るされること、または設置表面（例えば、壁、柱、または机もしくはキャビネットの上面、底面、もしくは側面）に接続される支持システムによって支持されることを可能にする。平面パネルディスプレイの、見る人に対する配向を調節する能力は、望ましい特徴である。ディスプレイの位置および配向の調節を可能にする設置システムに対する必要性が存在する。この支持システムは、使用が単純かつ容易であるべきであり、そしてこのディスプレイが、選択された位置および配向を維持するように、安定であるべきである。
【発明の開示】
【課題を解決するための手段】
【０００４】
（発明の簡単な要旨）
平面パネルディスプレイ（例えば、コンピュータモニタまたはテレビ）のようなインターフェースデバイスのための設置システムは、このディスプレイが、このディスプレイの重心を通る水平旋回軸の周りで傾斜されることを可能にする。このシステムは、支持体および台を備え、これらは、中心に旋回軸を有する円弧状経路を通って互いに対してスライドし得るように、一緒に連結される。この台は、ディスプレイの背面に取り付けられ、一方で、この支持体は、支持表面に直接的または間接的に接続される。
【０００５】
このディスプレイは、このディスプレイの前面に平行な旋回軸の周りで、円弧によって規定される角度の範囲にわたって傾斜し得る。この旋回軸は、このディスプレイの重心を通るので、このディスプレイの重量は、角位置のいずれの位置においても釣り合いをとられる。クランプ調節も他の調節も、このディスプレイをその傾斜位置のいずれか１つに保持するために、必要とされない。
【発明を実施するための最良の形態】
【０００６】
（詳細な説明）
図１Ａ〜１Ｆは、本発明の設置システム１０の第一の実施形態を示す。図１Ａ〜１Ｆにおいて、設置システム１０は、ディスプレイ１２を、垂直に対して異なる３つの位置で支持し、このディスプレイは、平面パネルコンピュータモニタまたはテレビである。
【０００７】
設置システム１０は、３つの主要な部品（設置ブラケット１４、支持体または壁ブラケット１６、および１対の連結棒１８）を有する。設置ブラケット１４は、モニタ１２の背面に取り付けられ、一方で、支持体１６は、支持表面（例えば、柱Ｐ（または壁））に、直接的または間接的のいずれかで接続される。
【０００８】
設置ブラケット１４は、１対の円弧状のスロット２０を有し、これらのスロットは、設置ブラケット１４の、支持ブラケット１６に対するスライド運動の範囲を規定する。連結棒１８は、支持ブラケット１６によって保有され、そしてスロット２０内に突出する。連結棒１８は、スロット２０内に載り、これによって、台１４の支持体１６に対するスライド運動を可能にする。スライド運動の経路は、スロット２０の円弧によって規定される。図１Ａ〜１Ｆに示される実施形態において、スライド運動によって許容される角度回転の範囲は、およそ５０°である。
【０００９】
スロット２０によって規定される円弧は、水平旋回軸２２を規定する中心を有する円の一部分である。図１Ａ〜１Ｆに示されるように、旋回軸２２は、およそディスプレイ１２の重心を通る、仮想旋回軸である。その結果、ディスプレイ１２の重量は、傾斜角度にかかわらず、旋回軸２２の周りで釣り合いを取ったままである。使用者が選択する傾斜角度のいずれにおいてもディスプレイ１２が保持されるように、連結棒１８とスロット２０との間には、充分な摩擦が存在する。
【００１０】
本発明は、非常に単純かつ安価な設置システムを提供し、これは、ディスプレイ１２が、広範な傾斜角度にわたって傾斜することを可能にする。示される実施形態は、傾斜角度の範囲を約５０°に限定するが、この範囲は、スロット２０によって規定される円弧の長さに依存して、より大きくてもより小さくてもいずれでもよい。
【００１１】
図２Ａ〜２Ｆに示されるように、台１４は、面３０、右側壁３２Ｒ、左側壁３２Ｌ、ならびに設置耳部３４Ｒ、３４Ｌ、３６Ｒおよび３６Ｌを備える。設置耳部３４Ｌ、３４Ｒ、３６Ｌおよび３６Ｒの各々は、外側設置穴３８および内側設置穴４０を備える。円弧状のスロット２０は、左側壁３２Ｌおよび右側壁３２Ｒ内に位置し、そして互いに整列される。スロット２０の曲率は、図２Ｂに示される旋回軸２２に中心を有する円の一部分を規定する。
【００１２】
支持体１６は、基部５０、右側壁５２Ｒ、および左側壁５２Ｌから形成される、ほぼＵ字型のブラケットである。設置スロット５４および５６が、支持体１６を、壁、柱、または他の支持体に接続するために使用される。図２Ａ〜２Ｆに見られるように、台１４の側壁３２Ｒおよび３２Ｌは、支持体１６の壁５２Ｌおよび５２Ｒにまたがる。連結棒１８が、台１４および支持体１６の側壁の間に捕捉される。各連結棒１８は、外側突出部６０、内側突出部６２、および中心フランジ６４を備える。外側突出部６０は、円弧状のスロット２０を通って外向きに突出する。内側突出部６２は、外側突出部６０と類似の形状であり、そして支持体１６の側壁５２Ｌおよび５２Ｒを通って、嵌合スロット７０（図２Ｄに示される）を通って延びる。側壁５２Ｌおよび５２Ｒ内の円弧状スロット７０の大きさは、内側突出部６２の形状とほぼ一致する。フランジ６４は、それぞれの対向する壁３２Ｌおよび５２Ｌと、３２Ｒおよび５２Ｒとの間に捕捉される。その結果、連結棒１８は、一般に、支持体１６に対して適所に保持され、一方で、台１４は、円弧状スロット２０によって規定される経路に沿って、スロット２０の上端部が外側突出部６０の上端部と係合する場合に規定される最上部分から、突出部６０の下端部がスロット２０の下端部と係合する最下位置まで、前後にスライドし得る。これらの２つの極限位置は、図１Ａ、１Ｂ、１Ｄおよび１Ｆに示される。
【００１３】
図３Ａ〜３Ｃは、設置ブラケット１４をさらに詳細に示し、そして図４Ａ〜４Ｃは、支持ブラケット１６をさらに詳細に示す。好ましい実施形態の寸法が、これらの図に示される。支持体１６と台１４との両方について、好ましい材料は、０．０７５の冷間圧延鋼（ＣＲＳ  １４  ＧＡ）である。台１４および支持ブラケット１６は、好ましくは、粉末コーティングの最終仕上げを有する。
【００１４】
図５Ａおよび５Ｂは、連結棒１８の１つを示す。連結棒１８についての好ましい材料は、Ｄｅｌｒｉｎプラスチックである。
【００１５】
図３Ａ〜３Ｃ、４Ａ〜４Ｃ、および５Ａ〜５Ｂに示されるように、スロット２０の中心線の好ましい半径、ならびに台１４、支持体１６のスロット７０および連結棒１８は、２．３４４インチの曲率半径を規定する。この結果として、旋回軸２２の位置は、基部３０の前面ならびに台１４の設置耳部３４Ｌ、３４Ｒ、３６Ｌおよび３６Ｒの約１インチ前方である。旋回軸２２のこの位置の結果として、台１４がディスプレイ１２のほぼ中心背面に取り付けられた状態で、旋回軸２２が、ディスプレイ１２の重心を通るか、またはこの重心のすぐ近くを通る。その結果、ディスプレイ１２は、種々の傾斜位置で、重量の釣り合いがとられる。スクリーンパネルの構成および重量分布が変化する場合、円弧状経路の寸法は、重量の釣合いを維持するように変化され得る。
【００１６】
図６Ａ〜６Ｇは、本発明の第二の実施形態を示す。設置システム１００は、ディスプレイ１０２を、図６Ａ〜６Ｇに図示されるような、広範な種々の異なる位置および配向で支持する。設置システム１００は、台アセンブリ１０４、支持体アセンブリ１０６、側部ナックル１０８、ドッグポーン支持アーム１１０および１１２、側部ナックル１１４、ならびに壁プレート１１６を備える。
【００１７】
図６Ａ〜６Ｇに示されるように、設置システム１００は、垂直支持体（これは、この場合には、ポールＰである）によって支持される。壁プレート１１６は、ポールＰに取り付けられ、そして側部ナックル１１４は、壁プレート１１６に取り付けられる。
【００１８】
ドッグボーン１１２の内側端部は、テーパ状のベアリング１２２によって、側部ナックル１１４に旋回可能に接続される。調節ねじ１２４は、テーパ状のベアリング１２２の牽引を制御して、側部ナックル１１４に対するドッグボーン１１２の回転を制御する。
【００１９】
ドッグボーン１１２の外側端部は、テーパ状のベアリング１２６によって、ドッグボーン１１０の内側端部に、旋回可能に接続される。調節ねじ１２８は、テーパ状のベアリング１２６によって生じる摩擦牽引を制御し、そして望ましい場合に、ドッグボーン１１２と１１０とを固定された配向にロックするために使用され得る。
【００２０】
ドッグボーン１１０の外側端部は、テーパ状のベアリング１３０によって、側部ナックル１０８に旋回可能に接続される。調節ねじ１３２が、所望されるように、ドッグボーン１１０と側部ナックル１０８との牽引を調節するため、またはこれらを一緒にロックするために使用される。
【００２１】
支持体アセンブリ１０６は、ねじによって、側部ナックル１０８の側部アームに取り付けられる。
【００２２】
支持体１０６は、台１０４とのスライド接続を形成する。本発明の第一の実施形態においてと同様に、このスライド接続は、ディスプレイ１０２の旋回軸を規定する中心を有する円の弧によって規定される。この旋回軸は、ディスプレイ１０２の重心またはその非常に近くで位置決めされ、その結果、ディスプレイ１０２は、種々の傾斜位置で、重量の釣り合いをとられる。
【００２３】
台１０４は、ねじによって、ディスプレイ１０２の背面に取り付けられる。台アセンブリ１０４および支持対アセンブリ１０６によって規定される仮想旋回軸の周りでの重量のつりあいに起因して、ディスプレイ１０２は、図６Ａ〜６Ｇに図示されるような位置の範囲にわたって、傾斜され得る。ディスプレイ１０２は、これらの位置のいずれにおいても安定であり、そして一旦、この位置に傾斜されると、クランプされる必要なく適所に保持される。設置システム１００は、設置システム１０と同様に、平面パネルディスプレイの傾斜の非常に使用が容易な調節を提供する。使用者は、単に、このディスプレイを旋回軸の周りで所望の傾斜量に移動させ、そしてこのディスプレイは、この傾斜位置に保持される。
【００２４】
図７Ａ〜７Ｆは、台アセンブリ１０４および支持体アセンブリ１０６を、さらに詳細に示す。
【００２５】
台アセンブリ１０４は、アーチ１４０ならびに設置プレート１４２および１４４を備える。設置プレート１４２は、１対のねじによって、アーチ１４０の一端に取り付けられ、そして設置プレート１４４は、１対のねじによって、アーチ１４０の反対側の端部に取り付けられる。アーチ１４０は、ディスプレイ１０２を水平に通る仮想旋回軸を中心とする円弧を規定する。外側表面１４６は、その長さ方向と幅方向とに沿って、面取りされた縁部１４８を有する。同様に、アーチ１４０の内側表面１５０は、面取りされた縁部１５２を有する。面取りされた縁部１５２は、アーチ１４０の、支持体アセンブリ１０６に対するスライド運動のための平行なガイド軌道を形成する。
【００２６】
支持体アセンブリ１０６は、ヨーク１６０、ダウエル１６２、１６４、および１６６、ならびにホイール１６８、１７０および１７２を備える。ダウエル１６２、１６４、１６６の各々は、それぞれ、１対のホイール１６８、１７９、１７２を備え、これらは、アーチ１４０の面取りされた縁部に載るためのものである。ホイール１６８は、ダウエル１６２の反対側の端部に設置されて、面取りされた縁部１４８に載る。ホイール１７０は、ダウエル１６４に設置されて、面取りされた縁部１５２に載る。ホイール１７２は、ダウエル１６６に設置されて、面取りされた縁部１４８に載る。従って、アーチ１４０は、ローラの３つのセット１６８、１７０および１７２の間に捕捉され、一方で、アーチ１４０によって規定されるアーチ経路にわたるスライド運動を可能にする。
【００２７】
図８Ａ〜８Ｃおよび９Ａ〜９Ｂは、台アセンブリ１０４の構成要素をさらに詳細に示す。図８Ａ〜８Ｃは、円弧１４０を示し、一方で、図９Ａおよび９Ｂは、設置プレート１４２を示す。設置プレート１４４は、設置プレート１４２と同一であり、そして図７Ａ〜７Ｆに示されるように、単に反転される。
【００２８】
図１０Ａ〜１０Ｃは、ヨーク１６０を示し、これは、基部セクション１８０および１８２、ならびに側壁１８４および１８６を有する。基部セクション１８０における設置穴１８８は、ヨーク１６０が、接続要素（例えば、側部ナックル１０８）に設置されること、または壁プレート１１６に直接設置されることを、可能にする。側壁１８４および１８６は、ダウエル１６２のための整列されたスロット１９０、ダウエル１６４のための整列された貫通孔１９２、ダウエル１６６のための整列された貫通孔１９４を備える。
【００２９】
図１１Ａおよび１１Ｂは、ダウエル１６２を示し、これは、１つの面取りされた端部を有する、１／８インチのステンレス鋼ダウエルである。ダウエル１６４と１６６とは、同一である。
【００３０】
図１２Ａおよび１２Ｂは、ダウエル１６２に設置されたホイール１６８の１つを示す。ホイール１６８は、円筒形の外側端部２００、テーパ状セクション２０２、および中心ボア２０４を備える。ボア２０４の内径は、ホイール１６８をダウエル１６２の上にフィットさせるような大きさである。角度を有するテーパ状のセクション２０２は、円弧１４０の面取りされた縁部１５２の角度と一致する。
【００３１】
本発明の両方の実施形態（１０、１００）は、支持体（１６、１０６）に対する台（１４、１４０）の円弧状のスライド運動を特徴とする。これは、ディスプレイ（１２、１０２）が傾斜する旋回軸を規定する。旋回軸に対するディスプレイの重量の釣り合いが取れた関係は、このディスプレイが、傾斜角度の任意の範囲で、クランプされることなく、ディスプレイが安定であることを可能にする。従って、単純な、使用が容易な傾斜調節が提供される。
【００３２】
図は、多数の実施形態を示すが、他のものが、手短に述べられるべきである。図２Ａ〜２Ｆに記載されるような台アセンブリ１４は、スロット２０を有し、そして支持体１６は、連結棒１８を有し、この連結棒は、スロット２０内を前後にスライドする。別の実施形態において、台アセンブリ１４は、連結棒１８を有し、そして支持体アセンブリ１６は、スロット２０を備え、このスロット内で、連結棒１８が、前後に揺動する。別の実施形態において、連結棒１８は、間隔を空けた別個の留め釘またはダウエルで置き換えられ、これらが、スロット２０内にフィットし、そして円弧状スロットによって規定される経路を辿る。
【００３３】
図７Ａ〜７Ｆに記載されるように、アーチ１４０は、台アセンブリ１０４に位置する。別の実施形態において、アーチ１４０は、支持体アセンブリ１０６によって適所に保持される。この実施形態において、ヨーク１６０、ダウエル１６２、１６４、および１６６、ならびにホイール１６８、１７０および１７２が、代わりに台アセンブリに配置され、その結果、この台は、支持アセンブリ上に位置するアーチによって規定される弧を通って移動し、ディスプレイは、旋回軸の周りで傾斜する。なお別の実施形態において、ダウエルの位置は逆にされ、その結果、ダウエル１６４は、面取りされた縁部１５２の上に載り、そしてダウエル１６２、１６６は、面取りされた縁部１４８の上に載る。
【図面の簡単な説明】
【００３４】
【図１】図１Ａ〜１Ｃは、平面パネルディスプレイが３つの異なる位置で傾斜した、本発明の設置システムの第一の実施形態を示す側面図である。図１Ｄ〜１Ｆは、３つの異なる位置で傾斜したディスプレイを示す斜視図である。
【図２】図２Ａおよび２Ｂは、図１Ａ〜１Ｆの設置システムの正面図および側面図を示す。図２Ｃ〜図２Ｆは、設置システムの斜視図を示す。
【図３】図３Ａ〜３Ｃは、図２Ａ〜２Ｂのシステムの設置ブラケットの正面図、右側面図、および上面図を示す。
【図４】図４Ａ〜４Ｃは、図２Ａ〜２Ｂのシステムの壁または支持ブラケットの、正面図、右側面図、および上面図をそれぞれ示す。
【図５】図５Ａおよび５Ｂは、図２Ａ〜２Ｂのシステムの連結棒の、側面図および正面図をそれぞれ示す。
【図６】図６Ａ〜６Ｇは、平面パネルディスプレイが３つの異なる位置で傾斜した、本発明の設置システムの第二の実施形態の図を示す。
【図７】図７Ａ〜７Ｆは、本発明の設置システムの第二の実施形態の図を示す。
【図８】図８Ａ〜８Ｃは、それぞれ、図７Ａ〜７Ｆの設置システムのアーチの、側面図、上面図、および背面図である。
【図９】図９Ａおよび９Ｂは、図７Ａ〜７Ｆのシステムの設置プレートの後面図および側面図である。
【図１０】図１０Ａ〜１０Ｃは、図７Ａ〜７Ｆのシステムのヨークの正面図、側面図および上面図である。
【図１１】図１１Ａおよび１１Ｂは、図７Ａ〜７Ｆのシステムのダウエルの上面図および端面図である。
【図１２】図１２Ａおよび１２Ｂは、図７Ａ〜７Ｆのシステムのホイールの上面図および端面図である。